(57)【要約】      （修正有）【課題】脱いだまま収納でき、しかも折り目を維持できる事と帰宅後の洋服についた匂いを脱臭し更に芳香を加える。【解決手段】従来のハンガー機能に、スラックス、スカート等を脱いだ状況のまま吊り下げ収納するために、ハンガー機能付きスラックス、スカート等のハンガーストッパー３を設けた。更に、裾抑えストッパー２を設け上下可動式とし２固定の金具６を設けて引張ったままで折り目維持できる機能を持たせた。ハンガーストッパー３上部のネクタイ掛け１２を複数用意しその下部にはネクタイ、帽子に染み付いた匂いの脱臭芳香のための脱臭芳香剤収納を取り付けた。【選択図】図１
2005237902.tif 000002
【特許請求の範囲】
【請求項１】
背広、ブレザー、スラックス、スカート、ネクタイ、帽子等のスタンド型収納を目的としたハンガーで、一定の重量を要する硬質素材の四角型又は丸型の安定板を床に置き、一方を人型の胸上部を模ったハンガーで、頭部型にあたる部分に複数のアーチ型を間隔を空けて重ね合わせたネクタイ掛けにより数本掛けて収納でき（ネクタイを掛けるアーチ部分の上部は軟質素材で作られて滑り止めとなっている）アーチ型下部中央には詰め替え可能な複数の小さな穴があいた楕円型の脱臭、芳香剤収納を有している、頭部には帽子の収納の為の機能を持たせたものと、他方をスラックスまたはスカートを押える機能を持つ、概ね長方形を横にしたものを合わせて挟み込むようにした一対のハンガーストッパーで、未使用時開放状態とする為バネ内蔵型の硬質素材のハンガーストッパー（ハンガーストッパー内部には軟質素材でできた滑り止めと、脱臭、芳香剤を収めるスペースを有する）を、硬質素材のＯ型又は□型断面の連結棒の上部に固定し、裾押さえとして未使用時開放状態とする為にバネ内臓式で挟み込む機能と裾位置固定金具を有する概ね長方形を横にした硬質素材のストッパー（ストッパー内部には軟質素材でできた滑り止めを有する）を安定板とハンガーストッパーの間に可動式とすることで、スラックス、スカートを引き伸ばして固定する事により折り目維持機能を持たせた事を特徴とするスタンドハンガー。以上により、スカート、スラックスは、ベルトを付けたまま、また、収納物を収納したままで連結棒の反対側より挟み込んで収納でき、収納された状態で洋服の脱臭、芳香を可能とした事を特徴とするスタンドハンガー。
【請求項２】
スラックス、スカート固定のハンガーストッパーと、裾抑えストッパーの形状が、重量に耐えられるようにする為、概ね丸みをおびた長方形を横型にしたものの下部に正三角形の支えを長方形の右又は左端下部に正三角形の一方の短辺部分を接続一体的に成型し逆Ｌ型としたものを連結棒に包み込むようにして（ただし、連結棒に接する部分は、ハンガーストッパー及びストッパーの長方形部分短辺の高さの２倍以上とする）作られていることを特徴とする請求項１記載のスタンドハンガー。
【発明の詳細な説明】
【技術分野】
【０００１】
この発明は、背広、スラックス、ブレザー、スカート、ネクタイ、帽子等の収納と洋服の芳香、脱臭に関するものである。
【背景技術】
【０００２】
従来のハンガーによる収納では、図２に示すように、スラックス、スカートの収納については、ハンガーに通したり、挟んだりして吊り下げ、その上に背広、ブレザー等を被せてハンガーポール等に吊り下げて収納するものであった。
【発明の開示】
【発明が解決しようとする課題】
【０００３】
解決しようとする問題点は、スラックス、スカートのベルト、対象物内の収納物を取外ししなければ、吊り下げした後、落ちたり、ズボンの折り目が二重についてしまったりすること、ネクタイ掛けに掛けたままではずり落ちやすいこと、外出より戻ったときに洋服についている匂いを取り除く事と、外出時香豊かな状況で出かけられるようにする事である。
そこで、この発明は、背広、ブレザー、スラックス、スカート、ネクタイ、帽子等を脱いだまま、そのままの状態で、収納でき尚且つ、折り目が崩れない事、ずり落ちない事、収納している洋服の脱臭、芳香を兼ね備える事を課題とする。
【課題を解決するための手段】
【０００４】
以上の課題を解決するために、第一発明は、スラックス、スカートにベルト等が付いたままで、スラックス、スカートの上部を持ってそのままスライドさせ、スラックス、スカート上部の左右を挟んで吊るし硬質素材できたバネ内臓の挟み込みハンガーストッパーに添えてハンガーストッパー内に差込、連結棒と反対側の開放防止金具で固定して吊り下げる事とする。ただし、ストッパーの内側には、軟質な素材の滑り止めと脱臭芳香剤を収納するスペースが並列して付いている。また、ハンガーストッパー上部にネクタイ等の形を維持しながら数本のネクタイを掛けられるようにする為、複数のアーチ型を間隔を置いて重ねた間にネクタイを掛けられるようにし、下部には、小さな穴があいた楕円型の脱臭、芳香剤収納を有している。このとき、アーチ型のネクタイ掛け上部には、滑り止めの為の軟質素材のシートが貼られている。
また、第二発明は、吊り下げたスラックス、スカートの折り目保持のため、床面方向に引っ張った状態で固定するために、裾押さえストッパーを可動式として連結棒に引き伸ばした状態で固定するための挟み込み式のストッパー固定金具を有する。
更に第三発明は、対象物の重量を考慮して、ハンガーストッパー及び、裾押さえストッパーの形状を概ね長方形を横型にしたものの下部に三角形の支えを一体的に成型したものを連結棒に包み込み強度を得られるようにする。
【発明の効果】
【０００５】
本発明のスタンドハンガーは、収納時の手間を省くため、スラックス、スカートを脱いだままの状態で、収納でき尚且つ、ブレザー、背広、ネクタイ、帽子等も収納でき、しかも、収納しながら脱臭芳香が可能な第一発明と、スラックス、スカート等の折り目が崩れないように裾抑えストッパーを有する事で折り目維持を可能とした第二発明、さらに、対象物の重量に考慮して、ハンガー付きストッパーと、裾抑えストッパーの形状について概ね長方形を横型にしたものの下部に三角形の支えを一体的に成型したものを有する第三発明により、簡単収納で折り目維持が可能なうえに対象物の重量を考慮した万全のスタンドハンガーとしたものである。
【発明を実施するための最良の形態】
【０００６】
この発明の一実施形態を、図1に示す。
このスタンドハンガーは、本体全体を安定して立たせるための安定板１（連結棒固定金具５を有する）と、背広ブレザー等のためのハンガー機能とスラックス、スカートの吊り下げの為のストッパー機能（ハンガーストッパー上部には、ネクタイ収納のためのアーチ型ネクタイ掛け１２と、脱臭芳香剤収納のための１１をハンガーストッパー内部とネクタイ掛け下部にも有する）を持つハンガーストッパー３と、裾押さえ機能、折り目維持機能を備えたストッパー２（ストッパー２にはストッパー固定金具６を有する）を連結する連結棒４からなる。３及び２には、それぞれ開放防止金具７と軟質素材の滑り止め８、収納前に開放状態にしておくためのバネ９を有している。以上により脱いだままで収納でき折り目維持を可能とし、洋服の脱臭芳香も可能とした、スタンドハンガーが実現した。
【実施例１】
【０００７】
図１の実施形態によれば、背広、ブレザーの収納とともに、スラックス、スカート等の収納のためのストッパーを併せ持つハンガーストッパー３に、さらに折り目維持機能を持たせるための裾抑えストッパー２を上下可動式として、固定金具６により折り目を伸ばした状態で固定し、スラックス、スカート等を３及び２に挟み込んだ状態（対象物の滑り止めとして軟質素材の８により安定して挟み込み、ハンガーストッパー３内部には、軟質素材８と並列して脱臭芳香剤収納１１を有している）で吊り下げて収納するものである。また、ハンガーストッパー３上部のネクタイ掛けは、複数のアーチ型１２のネクタイ掛けを間隔を空けてネクタイを掛ける事ができ、アーチ型ネクタイ掛け下部には小さな穴があいた楕円型の脱臭芳香剤収納１１を有している。このときアーチ型ネクタイ掛け上部には軟質素材の滑り止めシートを貼り付けている。そのうえに帽子を被せる事で収納を可能としている帽子掛け１０としても活用できる。スタンドハンガー全体を安定させるため安定板１（安定板１には、連結棒固定のため固定金具５を有する）は、一定の重量を要していることを特徴とするものである。
【図面の簡単な説明】
【０００８】
【図１】この発明の一実施形態を示す立面図、平面図。（実施例１）
【図２】従来技術を示す立面図。
【符号の説明】
【０００９】
１    安定板
２    裾抑えストッパー
３    ハンガーストッパー
４    連結棒
５    連結棒固定金具
６    裾押えストッパー固定金具
７    開放防止金具
８    滑り止め
９    バネ
１０  帽子掛け
１１  脱臭、芳香剤収納
１２  ネクタイ掛け
１３  丁板
１４  ハンガーストッパー固定ビス
１５  吊ばさみ
【図１】
2005237902.tif 000003
【図２】
2005237902.tif 000004